(57)【要約】【課題】  たとえ非健常者が操作しても、原稿のサイズに合わせて常に適正にサイドフェンス間の距離を設定することができるようにする。【解決手段】  原稿自動供給装置２０において、幅寄せ機構７０は、幅方向で原稿を挟持する一対のサイドフェンス６０と、一対のサイドフェンス６０を原稿幅方向に移動させるフェンス移動機構７１と、移動構造を操作する操作レバー７６とを備えて構成されている。操作レバー７６の操作を案内する案内部８０が操作者と対面したテーブル本体５０の側板５２に設けられ、この案内部８０は、操作レバー７６が貫通される操作方向に長尺の階段状長孔８１と、操作レバー７６の操作方向と直交する階段状長孔８１の対向縁部の一方側に設けられた、原稿のサイズに応じて操作レバー７６の位置を設定する段差８２とを備え、操作レバー７６は、操作方向と直交する階段状長孔８１の対向縁部に向けて弾性変形可能にしてある。【選択図】      図５
2006069705.tif 000002
【特許請求の範囲】
【請求項１】
所定のテーブル部上に載置された用紙の用紙幅サイズに応じて当該用紙を用紙搬送方向と直交する用紙幅方向に寄せる幅寄せ機構が設けられてなる給紙装置において、
前記幅寄せ機構は、幅方向で用紙を挟持する一対のサイドフェンスと、前記一対のサイドフェンスの少なくとも一方側を用紙幅方向に移動させるフェンス移動機構と、前記移動構造を操作する操作レバーとを備えて構成され、
前記操作レバーの操作を案内する案内部が操作者と対面した所定の板壁に設けられ、
前記案内部は、前記操作レバーが貫通される操作方向に長尺の長孔と、前記長孔の長尺側の対向縁部に設けられた、用紙のサイズに応じて操作レバーの位置を設定する段差部とを備え、
前記操作レバーは、前記段差部に当接可能とされていることを特徴とする給紙装置。
【請求項２】
前記操作レバーは、レバー軸回りに回動可能に軸支され、前記フェンス移動機構は、前記操作レバーの先端側に設けられたレバー軸を曲率中心とする円弧ギヤと、この円弧ギヤに噛合してギヤ軸回りに回転する円形ギヤと、この円形ギヤに噛合して少なくとも一方の前記サイドフェンスを移動させるラックとを備えて構成されていることを特徴とする請求項１記載の給紙装置。
【請求項３】
前記案内部には、前記段差部と対応した位置に用紙のサイズを表示する目印が設けられていることを特徴とする請求項１または２記載の給紙装置。
【請求項４】
請求項１乃至３のいずれかに記載の給紙装置を備えた画像形成装置であって、前記用紙は、前記テーブル部から給紙されることにより用紙に形成された画像が読み取られる原稿であり、前記操作レバーの操作により設定されたサイドフェンスの位置に対応する原稿のサイズに応じて内部の処理機構が当該サイズに対応するべく構成されていることを特徴とする画像形成装置。
【発明の詳細な説明】
【技術分野】
【０００１】
本発明は、所定のテーブル部上に載置された用紙の用紙幅サイズに応じて当該用紙を用紙搬送方向と直交する幅方向に寄せる幅寄せ機構が設けられてなる給紙装置およびこの装置を備えた画像形成装置に関するものである。
【背景技術】
【０００２】
従来、頂部に原稿自動読取装置が設けられてなる画像形成装置が知られている。この画像形成装置は、原稿自動読取装置によって読み取られた原稿の画像情報を所定の光学系によって読み取り、一旦記憶装置に記憶した後（あるいは記憶しないで直接）、用紙貯留部から搬送されてきた用紙に転写するようになっている。前記原稿自動読取装置は、原稿の束を載置するための原稿トレイ（テーブル部）を備えた給紙装置を有し、１枚ずつの原稿がこの給紙装置から内部の原稿読取部へ送り込まれ、この原稿読取部で原稿画像が逐一読み取られるようになっている。
【０００３】
原稿トレイには、原稿の幅寸法（原稿の搬送方向に直交する原稿幅寸法）に応じて対向距離が可変に構成された幅方向一対のサイドフェンスが設けられており、これら各サイドフェンスを原稿トレイ上に載置された原稿束の幅方向の各端部に当接させることによって、原稿が真っ直ぐに原稿読取部へ向けて送り込まれるようになっている。サイドフェンスの移動機構については、原稿を対象としたものではないが、画像形成装置の装置本体の下部に着脱自在に内装される、用紙束を貯留するための用紙トレイに適用されたものが特許文献１および特許文献２に記載されている。
【特許文献１】特開平６−２６３２６８号公報
【特許文献２】実公平７−４５４７０号公報
【発明の開示】
【発明が解決しようとする課題】
【０００４】
ところで、原稿自動読取装置は、画像形成装置の装置本体の頂部に設けられるものであり、しかも、装置本体は、高さ寸法が成人の腰の高さ（通常９００〜１１００ｍｍ）に合わせて設定されているのが一般的であり、これによって直立した操作者が見下ろした状態でサイドフェンスを操作し易くなっている。したがって、健常者が原稿束を原稿トレイに載置するに際しては、原稿トレイ上に載置される原稿束とサイドフェンスとを見比べながらサイドフェンスを操作することが可能であり、特に問題になることはないが、車椅子等に乗って画像形成装置を操作せざるを得ないユーザーがサイドフェンスを操作する場合、上方からサイドフェンスを俯瞰することができないため、サイドフェンスを原稿束に的確に合わせることができず、これによって原稿の斜め搬送が生じるなどの不都合の発生する場合がある。
【０００５】
かかる不都合を解消するべく、特許文献２に記載のものは、操作レバーが操作される長孔の縁部に、用紙のサイズに対応した目印が設けられている。したがって、操作者は、サイドフェンスを視認することなく用紙のサイズと対応した目印の位置に操作レバーを合わせることでサイドフェンス間の距離がその用紙を挟持した状態になるため、車椅子に搭乗した非健常者であっても、サイドフェンスの離間距離設定を用紙サイズに合わせて容易に行うことができる。
【０００６】
しかしながら、特許文献２に記載のものは、長孔の縁部に単に目印が設けられているだけであるため、操作レバーを正確に目印の位置に止めることは困難であり、位置狂いが生じ易い。すなわち、用紙束が厚いときは、最大限に広げたサイドフェンス間の距離を操作レバーの操作で縮めていくと、用紙束自体がストッパの役割を果たしてサイドフェンスが用紙束を挟持した状態になるが、用紙束が薄いときにはサイドフェンスで挟まれた用紙束が容易に湾曲したり、逆に用紙の側縁部がサイドフェンスに当接していない状態になることがあり、したがって、たとえ目印の位置に操作レバーを位置させたといっても、僅かでもその位置から外れている場合には、用紙束が湾曲したり、サイドフェンスに案内されない状態になる。
【０００７】
そして、こんな状態の用紙束は、適正に自動給紙することができず、紙詰まりなどのトラブル発生の原因になるという問題点が存在した。
【０００８】
本発明は、かかる状況に鑑みなされたものであり、たとえ車椅子に乗ったユーザーが操作しても、原稿のサイズに合わせて常に適正にサイドフェンス間の距離を設定することができる、どのようなユーザーにも優しい給紙装置およびこの装置を備えた画像形成装置を提供することを目的としている。
【課題を解決するための手段】
【０００９】
請求項１記載の発明は、所定のテーブル部上に載置された用紙の用紙幅サイズに応じて当該用紙を用紙搬送方向と直交する用紙幅方向に寄せる幅寄せ機構が設けられてなる給紙装置において、前記幅寄せ機構は、幅方向で用紙を挟持する一対のサイドフェンスと、前記一対のサイドフェンスの少なくとも一方側を用紙幅方向に移動させるフェンス移動機構と、前記移動構造を操作する操作レバーとを備えて構成され、前記操作レバーの操作を案内する案内部が操作者と対面した所定の板壁に設けられ、前記案内部は、前記操作レバーが貫通される操作方向に長尺の長孔と、前記長孔の長尺側の対向縁部に設けられた、用紙のサイズに応じて操作レバーの位置を設定する段差部とを備え、前記操作レバーは、前記段差部に当接可能とされていることを特徴とするものである。
【００１０】
かかる構成によれば、操作者は、対面した板壁の案内部に設けられている操作レバーをテーブル部上に載置された用紙のサイズに合わせて長孔の延びる方向へ操作することにより、サイドフェンスがフェンス移動機構の動作によってその用紙を挟むように移動し、これによってテーブル部上の用紙は、一対のサイドフェンスに挟持された状態になる。
【００１１】
そして、長孔には、用紙のサイズに応じて操作レバーの位置を設定する段差部が設けられているとともに、操作レバーは、操作方向と直交する長孔の対向縁部に向けて弾性変形可能であるため、操作レバーの操作に際し長孔の最大幅の位置を始点として段差部の方向に撓ませた状態で当該操作レバーを長孔にそって移動させることにより操作レバーが段差部の段に当たることになる。そして、何段目の段がどの用紙サイズであるかを予め認識しておけば、操作レバーがその段に衝突することで所定の用紙サイズに対応したことを認識することができるとともに、サイドフェンスは対応した位置に正確に位置決めされる。
【００１２】
このように、操作レバーが案内される長孔に用紙サイズに対応した段差部を設けておくとともに、操作レバーを段差部に当接可能にすることにより、一々サイドフェンスの位置を視認することなく当該サイドフェンスを用紙サイズに正確に合わせることができるため、操作者が例えば車椅子に乗った非健常者であっても、用紙を容易かつ正確にテーブル部に装填することが可能になり、給紙装置がすべてのユーザーに対して使い易いものになる。
【００１３】
また、操作レバーを段差部に合わせることによって原稿のサイズを特定することができるため、給紙装置に原稿のサイズを検出するセンサを設ける必要がなくなり、例えば給紙装置の回動操作時にセンサのリード線が嚼み込むような不都合が生じなくなる。
【００１４】
請求項２記載の発明は、請求項１記載の発明において、前記操作レバーは、レバー軸回りに回動可能に軸支され、前記フェンス移動機構は、前記操作レバーの先端側に設けられたレバー軸を曲率中心とする円弧ギヤと、この円弧ギヤに噛合してギヤ軸回りに回転する円形ギヤと、この円形ギヤに噛合して少なくとも一方の前記サイドフェンスを移動させるラックとを備えて構成されていることを特徴とするものである。
【００１５】
かかる構成によれば、操作レバーをレバー軸回りに回動操作することにより、操作レバーの先端に形成された円弧ギヤがレバー軸回りに回動し、これによって円弧ギヤと噛合している円形ギヤがギヤ軸回りに回転する。そして、円形ギヤが回転すると、円形ギヤに噛合しているラックが移動し、ラックと一体のサイドフェンスが移動することになる。
【００１６】
このように、フェンス移動機構を、操作レバーの先端側に設けられた円弧ギヤと、この円弧ギヤに噛合してギヤ軸回りに回転する円形ギヤと、この円形ギヤに噛合して少なくとも一方のサイドフェンスを移動させるラックとを備えて構成することにより、当該フェンス移動機構は、簡単な構造であるにも拘わらずサイドフェンスを確実に移動させ得るものになる。
【００１７】
また、操作レバーをどこにでも止められるので、不定形の原稿にも対応することができる。
【００１８】
請求項３記載の発明は、請求項１または２記載の発明において、前記案内部には、前記段差部と対応した位置に用紙のサイズを表示する目印が設けられていることを特徴とするものである。
【００１９】
かかる構成によれば、どの段差部がどの用紙サイズに対応しているかを目印を視認することにより認識される。
【００２０】
請求項４記載の発明は、請求項１乃至３のいずれかに記載の給紙装置を備えた画像形成装置であって、前記用紙は、前記テーブル部から給紙されることにより用紙に形成された画像が読み取られる原稿であり、前記操作レバーの操作により設定されたサイドフェンスの位置に対応する原稿のサイズに応じて内部の処理機構が当該サイズに対応するべく構成されていることを特徴とする画像形成装置である。
【００２１】
かかる構成によれば、画像形成装置の給紙装置が請求項１〜３に記載の給紙装置の作用効果を備えたものになる。
【発明の効果】
【００２２】
請求項１記載の発明によれば、操作レバーを弾性変形可能にするとともに、操作レバーが案内される長孔に用紙サイズに対応した段差部を設けておくことにより、一々サイドフェンスの位置を視認することなく当該サイドフェンスを用紙サイズに正確に合わせることができるため、操作者が例えば車椅子に乗った非健常者であっても、用紙を容易かつ正確にテーブル部に装填することが可能になり、給紙装置をすべてのユーザーに対して使い易いものにすることができる。
【００２３】
請求項２記載の発明によれば、フェンス移動機構を、操作レバーの先端側に設けられた円弧ギヤと、この円弧ギヤに噛合してギヤ軸回りに回転する円形ギヤと、この円形ギヤに噛合して少なくとも一方のサイドフェンスを移動させるラックとを備えて構成することにより、簡単な構造であるにも拘わらずサイドフェンスを確実に移動させ得るものにすることができる。
【００２４】
請求項３記載の発明によれば、どの段差部がどの用紙サイズに対応しているかを目印を視認することにより認識されるため、給紙装置をさらに使い勝手のよいものにすることができる。
【００２５】
請求項４記載の発明によれば、画像形成装置は、請求項１〜３に記載の給紙装置の作用効果を備えたものになり、非健常者を含むすべてのユーザーにとって使いやすいものにすることができる。
【発明を実施するための最良の形態】
【００２６】
図１および図２は、本発明に係る給紙装置が適用された画像形成装置の一実施形態を示す斜視図であり、図１は、パネルボードが横臥姿勢に姿勢設定された状態、図２は、パネルボードが起上り姿勢に姿勢設定された状態をそれぞれ示している。また、図３は、画像形成装置の内部構造の概要を説明するための正面断面視の説明図である。なお、これらの図において、Ｘ−Ｘ方向を前後向、Ｙ−Ｙ方向を幅方向といい、特に−Ｘ方向を前方、＋Ｘ方向を後方、−Ｙ方向を左方、＋Ｙ方向を右方という。これらの図に示す画像形成装置１０は、全体的に非健常者が使い易いように構成されたものである。
【００２７】
画像形成装置１０は、図１および図２に示すような外観視で箱形を呈する装置本体１１と、この装置本体１１の頂部に設けられた原稿自動供給装置（給紙装置）２０とを備えた基本構成をを有している。装置本体１１内には、図３に示すように、原稿自動供給装置２０により供給された原稿の画像を読み取る原稿読取部１２と、この原稿読取部１２によって読み取られた画像情報に基づき画像を形成する画像形成部１３と、この画像形成部１３によって形成され、用紙に転写された画像に定着処理を施す定着部１４と、転写用の用紙を貯留する用紙貯留部１５とが内装されているとともに、装置本体１１の頂部の左方位置（図３の紙面の表面側）に画像形成処理に対して各種の条件を入力する入力部１６が設けられている。
【００２８】
前記原稿読取部１２は、装置本体１１の上面における原稿自動供給装置２０の下面と対向した位置に嵌め込まれたコンタクトガラス１２１（図３）と、装置本体１１内においてコンタクトガラス１２１と対向するように設けられた光学系ユニット１２３とを備えて構成されている。前記コンタクトガラス１２１は、装置本体１１の上面に載置された原稿の原稿面を読み取るための、原稿自動供給装置２０より若干小さい平面形状を有する載置原稿用コンタクトガラス１２１ａと、原稿自動供給装置２０により自動給紙された原稿の原稿面を読み取る左右方向（図３の紙面に直交する方向）に長尺の細長い自動給紙用コンタクトガラス１２１ｂとの２種類が備えられている。
【００２９】
光学系ユニット１２３は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光がコンタクトガラス１２１を透過して原稿面で反射され、この反射光がこれらミラーおよびレンズユニットを介して原稿情報としてＣＣＤに入力されるようになっている。ＣＣＤに入力されたアナログ量としての原稿情報は、デジタル信号に変換され、デジタルの原稿情報として所定の記憶装置に記憶されるようになっている。
【００３０】
前記画像形成部１３は、用紙貯留部１５から給紙された用紙にトナー画像を形成させるものであり、本実施形態では、上流側（図３の紙面の右側）から下流側へ向けて順次配設されたイエロー用ユニット１３Ｙと、マゼンタ用ユニット１３Ｍと、シアン用ユニット１３Ｃと、ブラック用ユニット１３Ｋとを有している。
【００３１】
各ユニット１３Ｙ，１３Ｍ，１３Ｃ，１３Ｋには、感光体ドラム１３１および現像装置１３２がそれぞれ備えられている。各感光体ドラム１３１は、図１において時計方向へ向けて回転しつつ対応した現像装置１３２からトナーの供給を受けるようになっている。
【００３２】
各感光体ドラム１３１の図３における上方前寄りの位置には帯電部１３３がそれぞれ設けられているとともに、同上方後寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００３３】
また、各感光体ドラム１３１の図１における前方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００３４】
各感光体ドラム１３１の下方位置には、搬送面が各感光体ドラム１３１と対向するように配設された搬送ベルト１３６が設けられている。この搬送ベルト１３６は、ブラック用ユニット１３Ｋの若干下流側に設けられた駆動ローラ１３７と、イエロー用ユニット１３Ｙの若干上流側に設けられた従動ローラ１３８とに掛け回され、駆動ローラ１３７の回転駆動によって周回するようになっている。そして、用紙貯留部１５から供給された用紙は、この搬送ベルト１３６の周回に誘導されて感光体ドラム１３１の周面に当接しながら移動し、転写処理が施されるようになっている。
【００３５】
前記定着部１４は、画像形成部１３で転写された用紙上のトナー像に対し定着処理を施すものであり、上下で互いに対向配置されたヒートローラ１４１と加圧ローラ１４２とを備えている。搬送ベルト１３６の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１１２を通って装置本体１１の前側壁から突設された排紙トレイ１１１へ向けて排出される。
【００３６】
前記用紙貯留部１５は、装置本体１１に挿脱自在に装着された複数段の用紙トレイ１５１を有している。各用紙トレイ１５１には、それぞれ用紙束が貯留され、選択された用紙トレイ１５１の用紙束からピックアップローラ１５２の駆動で用紙Ｐが１枚ずつ繰り出され、給紙搬送路１５３を通って画像形成部１３へ導入されるようになっている。
【００３７】
また、本実施形態の画像形成装置１０においては、装置本体１１内に用紙Ｐに対して両面印刷を行うための用紙反転部１７が設けられている。この用紙反転部１７は、画像形成部１３と用紙貯留部１５との間に介設された、片面に定着処理後の画像を有する用紙Ｐを一時的に貯留する中間トレイ１７１と、定着部１４の直下流位置に設けられ、定着処理後の用紙Ｐに対して排紙搬送路１１２および返送搬送路１１３のいずれか一方に用紙Ｐを振り分ける切換ガイド１７２と、一旦中間トレイ１７１に排紙された用紙Ｐを右端側から排紙する反転ローラ対１７３とを備えている。
【００３８】
そして、前記切換ガイド１７２の切り換え操作によって返送搬送路１１３および反転ローラ対１７３を介して一旦中間トレイ１７１へ排紙された用紙Ｐは、反転ローラ対１７３の逆回転によって右端側から排出され、反転搬送路１１４を通って給紙搬送路１５３へ向わせられるようになっている。この給紙搬送路１５３へ供給された表裏反転後の用紙Ｐは、再度画像形成部１３へ供給されることにより裏面側に対して転写処理が施されることになる。
【００３９】
前記入力部１６は、図１に示すように、装置本体１１の上面左部に装着された支持フレームとしての枠体１６１と、この枠体１６１に角度変更可能に支持されたパネルボード１６２とを備えて構成されている。前記枠体１６１は、装置本体１１の左面と面一の幅方向に長尺な左方枠と、原稿自動供給装置２０の左縁部より若干下位で左方枠と対向した右方枠と、これら左方枠および右方枠の前後の端部間に架設された幅方向一対の側方枠と、これら各枠に囲繞された底板とを備えて構成されている。
【００４０】
前記パネルボード１６２は、かかる枠体１６１の左方枠、右方枠および一対の側方枠に囲まれた空間に嵌め込まれた状態で底板に支持され、図略の角度調節機構の作用によって図１に示す略水平の横臥角度と、図２に示す起上り角度との間で角度変更可能になっている。
【００４１】
かかるパネルボード１６２の上面には、略中央位置に液晶からなる表示パネル１６３が設けられているとともに、この表示パネル１６３の後側にテンキー１６４が配列されている。また、このテンキー１６４の後側にはスタートボタン１６５が設けられているとともに、前記表示パネル１６３の前側にはモード切換えキー１６６が設けられている。前記表示パネル１６３は、各種の入力情報や出力情報を液晶表示したり、表示された処理条件の内で選択したものについてタッチイン操作で入力したりするものである。また、前記テンキー１６４は、コピー枚数などの主に数量情報を設定するためのものである。
【００４２】
前記モード切換えキー１６６は、画像形成装置１０のモードを切り換えるためのものであり、本実施形態においては、画像形成装置１０を複写機として使用するときに押下されるコピーキー１６６ａと、プリンタとして使用するときに押下されるプリンタキー１６６ｂと、スキャナとして使用するときに押下されるスキャナキー１６６ｃとからなっている。そして、コピーキー１６６ａが押下されると画像形成装置１０は複写機として機能し、プリンタキー１６６ｂが押下されると画像形成装置１０はプリンタとして機能し、スキャナキー１６６ｃが押下されると画像形成装置１０はスキャナとして機能することになる。
【００４３】
前記スタートボタン１６５は、画像形成装置１０に対する各種の処理条件が設定された状態で押下されるものであり、この押下によって設定された処理条件に沿う画像形成処理が実行されることになる。なお、パネルボード１６２には、これら表示パネル１６３、テンキー１６４、スタートボタン１６５およびモード切換えキー１６６の他にも、必要に応じて各種のキーやボタンが設けられる。
【００４４】
そして、枠体１６１の左方枠の後方位置には押圧ボタン１６７が設けられている。この押圧ボタン１６７は、パネルボード１６２の角度を変化させるときに押されるものであり、パネルボード１６２が横臥角度に設定された状態（図１）では、その突出量が起上り角度に設定されたとき（図２）より小さくなっている。そして、横臥角度に設定されたパネルボード１６２を起上り角度に変更するに際しては、図１に示す状態で押圧ボタン１６７が押圧されるとともに、起上り角度に設定されたパネルボード１６２を横臥角度に戻すに際しても、図２に示す状態で押圧ボタン１６７が押下される。すなわち、いずれの角度からでも押圧ボタン１６７を押すだけでパネルボード１６２の角度変更を行うことができるようになっている。
【００４５】
このようにパネルボード１６２を、押圧ボタン１６７に対するワンタッチ操作で略水平に設定する横臥角度と、操作者に対向するように起き上がらせた起上り角度との間で角度変更させ得るように構成されているため、従来のようにパネルボード１６２を把持して力任せに手前に引いたり、所定の操作レバーを往動させたり復動させるような面倒な操作を行う必要がなくなり、これによる操作性の向上によってたとえ車椅子等に乗ったままの操作を余儀なくされるユーザーであっても、画像形成装置１０が非常に操作のし易いものにる。
【００４６】
また、ワンタッチの操作手段として、押圧操作のみを行い得るように構成された押圧ボタン１６７を採用しているため、パネルボード１６２の角度変更を押圧ボタン１６７の押圧操作のみで行うことが可能になり、操作手段を操作性の点で極めて優れたものにすることができる。
【００４７】
図４および図５は、原稿自動供給装置２０の一実施形態を示す外観視の斜視図であり、図４は、供給装置本体からテーブル部が分離された状態、図５は、供給装置本体にテーブル部が装着された状態をそれぞれ示している。なお、図４および図５におけるＸおよびＹによる方向表示は図１の場合と同様である。これらの図に示すように、原稿自動供給装置２０は、画像形成装置１０の装置本体１１の上面に対して開閉可能に装着される供給装置本体３０と、この供給装置本体３０に装着されるテーブル部４０とを備えた基本構成を有している。
【００４８】
前記供給装置本体３０は、原稿Ｐ１を自動的に供給するに際しテーブル部４０に載置された原稿Ｐ１の束から１枚ずつをピックアップして自動給紙用コンタクトガラス１２１ｂ（図３）へ向けて送り込む一方、載置原稿用コンタクトガラス１２１ａに載置された原稿Ｐ１に対しては当該原稿Ｐ１を抑える原稿押さえとしての役割を果たすものである。かかる供給装置本体３０は、平板状の基台３１と、この基台３１の上面を覆うように当該基台３１に装着されたカバー体３２とを備えている。
【００４９】
前記基台３１は、平面視の寸法が載置原稿用コンタクトガラス１２１ａのそれより若干大きめに設定され、これによって原稿自動供給装置２０が閉止された状態で、載置原稿用コンタクトガラス１２１ａ上に載置された原稿Ｐ１の全面を覆い得るようになっている。
【００５０】
前記カバー体３２は、前側部が上方に膨出した前側膨出部３２１と、右縁部が上方に膨出した右縁膨出部３２２と、隣接する２辺がこれら前側膨出部３２１および右縁膨出部３２２に挟まれた扁平部３２３とを備えている。前側膨出部３２１の内部には、原稿Ｐ１を自動給紙用コンタクトガラス１２１ｂへ向けて給紙するための図略の原稿送込み機構が設けられている。かかる前側膨出部３２１の後面にはテーブル部４０を装着するための装着開口３４が形成されている。
【００５１】
前記前側膨出部３２１には、装着開口３４に臨んだ位置に、テーブル部４０上から１枚ずつをピックアップして前側膨出部３２１内に送り込むピックアップローラ３２１ａ（図４）が設けられているとともに、このピックアップローラ３２１ａによってピックアップされた原稿Ｐ１を自動給紙用コンタクトガラス１２１ｂへ向かわせる搬送ローラ等を備えてなる原稿送込み機構が内装されている。
【００５２】
前記右縁膨出部３２２内には、ピックアップローラ３２１ａや原稿送込み機構を駆動させるための駆動モータや駆動力伝達用のギヤ機構等が設けられている。前記扁平部３２３は、原稿送込み機構によって給紙され、自動給紙用コンタクトガラス１２１ｂを介して原稿画像が読み取られた後の原稿Ｐ１が排出される排紙トレイ３５として利用される。
【００５３】
そして、前記テーブル部４０は、このようなカバー体３２の装着開口３４に着脱可能に装着されるものである。図６は、テーブル部４０の一実施形態を示す一部切り欠き斜視図である。また、図７は、テーブル部４０に設けられる幅寄せ機構７０の一実施形態を示す斜視図であり、（イ）は、フェンス本体６１間の間隔寸法が最大に設定された状態、（ロ）は、フェンス本体６１間の間隔寸法が所定幅寸法に設定された状態をそれぞれ示している。さらに、図８は、テーブル部４０の底面図である。なお、図６〜図８におけるＸおよびＹによる方向表示は図１の場合と同様である。これらの図に示すように、テーブル部４０は、テーブル本体５０と、このテーブル本体５０に装着される左右方向（用紙幅方向）一対のサイドフェンス６０と、これら一対のサイドフェンス６０間の間隔寸法を変更する幅寄せ機構７０とを備えて構成されている。
【００５４】
前記テーブル本体５０は、カバー体３２の装着開口３４に嵌め込まれる基端部５１と、この基端部５１の後縁部から後方に向けて延設された延設部５６とからなっている。前記基端部５１は、幅方向一対の側板５２と、これら一対の側板５２の上縁部間に架設された天板５３と、一対の側板５２の後縁部間に架設された後板５４と、一対の側板５２の下縁部間に架設された底板５５とを備えている。一対の側板５２間の外寸法は、カバー体３２の装着開口３４（図４）の幅寸法より僅かに大きく設定されているとともに、側板５２の上下寸法は前記装着開口３４の上下寸法より相当短めに設定されている。
【００５５】
一方、カバー体３２の装着開口３４の対抗内壁面における上下方向中央位置には、上下寸法がテーブル本体５０の側板５２の上下寸法より僅かに広い溝幅寸法を有する原稿搬送方向（前後方向）に延びた装着溝３２１ｂがそれぞれ凹設され、テーブル本体５０は、その基端部５１を各装着溝３２１ｂに嵌挿することによってカバー体３２に装着し得るようになっている。
【００５６】
前記延設部５６は、基端部５１上に載置された原稿Ｐ１の後部を支持するためのものであり、幅寸法がフェンス本体６１のそれより若干短めに設定されて右方に寄せられた状態とされている。かかる延設部５６の周縁部には、下方に向けて突設された周壁５６１が設けられ、この周壁５６１の存在で延設部５６が軽量で、かつ、構造的に丈夫になっている。
【００５７】
前記サイドフェンス６０は、その一対でテーブル本体５０上に載置された原稿Ｐ１を挟持するためのものであり、図７に示すように、山形を呈したフェンス本体６１と、このフェンス本体６１の下縁部の前後方向略中央部から下方に突設された互いの対向方向に延びる被ガイド角材６２と、この被ガイド角材６２の若干上方位置から互いの対向方向へ向けて突設された被ガイド板６３とを備えて構成されている。
【００５８】
前記フェンス本体６１には、被ガイド角材６２より若干前方位置に下縁部から上方に向かって凹設された切欠き凹部６１１が設けられている。この切欠き凹部６１１は、後述するテーブル本体５０の前方ガイドレール５３１（図６）に外嵌するためのものである。
【００５９】
前記被ガイド角材６２は、幅方向に延びる角柱状の介設部材６２１を介してフェンス本体６１の下縁部に固定されている。かかる被ガイド角材６２は、右側のものが右側のフェンス本体６１の切欠き凹部６１１の直後方位置に設けられているのに対し、左側のものが左側のフェンス本体６１の後端部に設けられ、両者（左右の被ガイド角材６２）は互い違いになっている。
【００６０】
一方、テーブル本体５０の基端部５１の天板５３には、図６に示すように、前後方向の中央位置より若干後方寄りの位置に、上方へ突設された幅方向に延びるように突設された前方ガイドレール５３１が設けられているとともに、天板５３の後縁部（すなわち天板５３と延設部５６との境界位置）には、前方ガイドレール５３１と平行な後方ガイドレール５３２が設けられている。これら前後のガイドレール５３１，５３２間の距離は、前記被ガイド板６３の前後幅寸法より僅かに長めに設定されている。
【００６１】
また、天板５３における前方ガイドレール５３１の直後方位置には、右端部から中央部に向けて幅方向に延びる右側ガイド長孔５３３が穿設されているとともに、同後方ガイドレール５３２の直前方位置には、左端部から中央部に向けて幅方向に延びる左側ガイド長孔５３４が穿設されている。これらのガイド長孔５３３，５３４の前後孔幅寸法は、前記被ガイド角材６２の前後厚み寸法より僅かに幅広に設定されている。
【００６２】
したがって、各サイドフェンス６０は、それぞれの被ガイド角材６２を角ガイド長孔５３３，５３４に嵌め込むことにより、切欠き凹部６１１が前方ガイドレール５３１に外嵌するとともに、被ガイド板６３が前後のガイドレール５３１，５３２間に嵌り込んだ状態でテーブル本体５０の基端部５１に装着される。
【００６３】
そして、サイドフェンス６０は、テーブル本体５０に装着された状態で、切欠き凹部６１１が前方ガイドレール５３１にガイドされるとともに、被ガイド板６３が前後のガイドレール５３１，５３２にガイドされ、これによって左右幅方向に向かって真っ直ぐ、かつ、スムーズに移動し得るようになっている。
【００６４】
前記幅寄せ機構７０は、図７および図８に示すように、フェンス本体６１を移動させるフェンス移動機構７１と、このフェンス移動機構７１を操作する操作レバー７６とを備えて構成されている。前記フェンス移動機構７１は、扇状ギヤ（円弧ギヤ）７２と、この扇状ギヤ７２に噛合するダブルピニオン（円形ギヤ）７３と、前記右側および左側の被ガイド角材６２にそれぞれ形成された、前記ダブルピニオン７３と噛合する右側ラック７４および左側ラック７５とを備えて構成されている。
【００６５】
前記扇状ギヤ７２の曲率中心位置には、天板５３と底板５５との間に架設された支持軸（レバー軸）７１１が貫通され、これによって扇状ギヤ７２は支持軸７１１回りに回転自在に軸支されている。前記支持軸７１１は、図８に示すように、テーブル本体５０の基端部５１における幅方向の中心位置より左方側であって、前後方向の略中央位置に設けられ、これによって扇状ギヤ７２が基端部５１内で支持軸７１１回りに回動し得るようになっている。
【００６６】
前記操作レバー７６は、扇状ギヤ７２の曲率中心側の縁部から径方向に向かって突設されている。かかる操作レバー７６は、長さ寸法が支持軸７１１と左側の側板５２との間の距離より若干長めに設定されている。一方、前記側板（所定の板壁）５２には、図６に示すように、操作レバー７６の動きを案内する案内部８０が設けられている。本実施形態においては、前記案内部８０は、前後方向に延びる階段状長孔８１と、この階段状長孔８１の下方の縁部に形成された段差８２とからなっている。
【００６７】
そして、前記操作レバー７６は、階段状長孔８１に貫通され、外部に突出した先端部に摘み７６１が固定されている。したがって、この階段状長孔８１１を摘んで前後に操作することにより、扇状ギヤ７２が支持軸７１１回りに正逆回動することになる。
【００６８】
かかる操作レバー７６は、上下方向に向けて撓んで弾性変形し得るように、薄い板ばね材料によって形成され、これによって摘み７６１を摘んで操作レバー７６を上下方向に撓ませた状態で前後方向に向けて操作することができるようになっている。
【００６９】
前記ダブルピニオン７３は、テーブル本体５０の天板５３と底板５５との間に架設されたピニオン軸（ギヤ軸）７３３回りに回転自在に軸支されている。前記ピニオン軸７３３は、テーブル本体５０の基端部５１の後端位置における幅方向の中央部に設けられ、これによってダブルピニオン７３は、位置的に扇状ギヤ７２並びに右側ラック７４および左側ラック７５の三者と噛合し得るようになっている。
【００７０】
かかるダブルピニオン７３は、小径ピニオン７３１と、この小径ピニオン７３１の上部に同心で一体形成された大径ピニオン７３２とからなっている。そして、小径ピニオン７３１は、各ラック７４，７５と噛合するとともに、大径ピニオン７３２は、扇状ギヤ７２と噛合するようになっている。
【００７１】
したがって、摘み７６１を摘んで操作レバー７６を前後方向に操作することにより、扇状ギヤ７２が支持軸７１１回りに正逆回動し、これによって扇状ギヤ７２に噛合している小径ピニオン７３１がピニオン軸７３３回りに正逆回転するため、大径ピニオン７３２に噛合している各ラック７４，７５は、互いに対向する方向に向かって正逆移動することになる。この各ラック７４，７５の正逆移動によってこれら各ラック７４，７５と一体の一対のフェンス本体６１が離接し、一対のサイドフェンス６０間の距離を原稿Ｐ１のサイズに合わせて調節し得るようになっている。
【００７２】
図９は、案内部８０を説明するためのテーブル本体５０の側板５２を示す側面図である。図９に示すように、案内部８０を構成する階段状長孔８１は、本実施形態においては、後端部が最も幅広になっており、前方に向かって段差８２毎に順次幅狭になっている。そして、側板５２における各段差８２の位置に原稿Ｐ１のサイズを表示する符号（目印）が記載されている。具体的には、階段状長孔８１の後端部に対応した位置に「Ａ４」と表記され、後端部から数えて最初の段差８２に対応した位置に「Ｂ５」と表記され、以後順番に「Ａ４Ｒ」、「Ｂ５Ｒ」および「Ａ５」と表記されている。
【００７３】
因みに、「Ａ４」は、Ａ４サイズ（２９７ｍｍ×２１０ｍｍ）の原稿Ｐ１を縦置き（長辺側を原稿搬送方向と直交するように置く置き方）することを示し、「Ｂ５」は、Ｂ５サイズ（２５７ｍｍ×１８２ｍｍ）の原稿Ｐ１を縦置きすることを示す。また、「Ａ４Ｒ」は、Ａ４サイズの原稿Ｐ１を横置き（長辺側を原稿搬送方向と平行に置く置き方）することを示し、「Ｂ５Ｒ」は、Ｂ５サイズの原稿Ｐ１を横置きすることを示す。
【００７４】
したがって、サイドフェンス６０の幅寄せを行うに際しては、操作レバー７６を所望の原稿サイズの表示位置より後方に位置させた状態で、摘み７６１を摘んで操作レバー７６を下方に撓ませ、これによって操作レバー７６を階段状長孔８１の下縁部に当接させた状態で当該操作レバー７６を前方へ向けて操作すればよい。こうすることによって、一対のフェンス本体６１は互いに接近する方向に向けて移動し、操作レバー７６が段差８２に当止することにより、所望の原稿サイズに対応したサイドフェンス６０の幅寄せがばらつきのない状態で正確に行われることになる。したがって、対象となる原稿Ｐ１のサイズに対してフェンス本体６１間の距離が狭くなりすぎることにより、原稿Ｐ１が撓むような不都合の発生が確実に防止される。
【００７５】
逆に、フェンス本体６１間の距離を広げる方向に向けて操作レバー７６を操作するときには、操作レバー７６が段差８２によって止まることはないが、フェンス本体６１間の距離が広がる方向であるため、この操作が原稿Ｐ１の変形に影響を及ぼすことはない。
【００７６】
図１０は、操作レバー７６によって設定されたサイドフェンス６０間の距離に応じて実行される給紙制御を説明するためのブロック図である。図１０に示すように、画像形成装置１０の装置本体１１内には、適所に画像形成装置１０の運転を制御するための制御装置９０が設けられている。この制御装置９０は、画像形成装置１０に装着された各種の機器を対象として制御が可能な全ての動作を制御するものであるが、以下、それらの内でテーブル部４０に載置された原稿Ｐ１のサイズに係る制御に注目して説明する。
【００７７】
制御装置９０は、いわゆるマイクロコンピュータによって構成され、ＣＰＵ（ｃｅｎｔｒａｌ  ｐｒｏｃｅｓｓｉｎｇ  ｕｎｉｔ）からなる制御部９１と、この制御部９１に付設された読み取り専用の記憶装置であるＲＯＭ（ｒｅａｄ  ｏｎｌｙ  ｍｅｍｏｒｙ）９２と、読み書き自在の記憶装置であるＲＡＭ（ｒａｎｄｏｍ  ａｃｃｅｓｓ  ｍｅｍｏｒｙ）９３とを備えた基本構成を有している。ＲＯＭ９２には給紙制御を行うためのプログラムや、制御を行う上で必要な固定的データ等が記憶されている。ＲＡＭ９３に対しては、制御途中で発生する一時的なデータが入出力される。
【００７８】
前記制御部９１には、原稿サイズ判別部９１１と、制御信号出力部９１２とが設けられている。原稿サイズ判別部９１１は、後述の操作レバー位置センサ９４からの検出信号に基づきテーブル部４０に載置された原稿Ｐ１のサイズを判別し、この判別結果に基づく制御信号を出力させるべく、制御信号出力部９１２へ指令信号を出力するものである。
【００７９】
一方、テーブル部４０の適所には、操作レバー７６の位置を検出する操作レバー位置センサ９４（図３）が設けられている。この操作レバー位置センサ９４は、いわゆるバリアブルコンデンサあるいは可変抵抗器を備えて構成され、操作レバー７６の支持軸７１１回りの回動によるバリアブルコンデンサ電気容量の変化あるいは可変抵抗器の電気抵抗の変化によって操作レバー７６が案内部８０の階段状長孔８１におけるどの段差８２に位置しているかを検出し得るようになっている。
【００８０】
そして、操作レバー７６の位置が確定されると、操作レバー位置センサ９４からの検出信号が原稿サイズ判別部９１１へ入力されるようになっている。操作レバー７６の位置の確定については、所定の確定キーを押下することによって行うようにしてもよいが、本実施形態においては、操作者が原稿Ｐ１のサイズに応じて階段状長孔８１のいずれかの段差８２を選択した後、スタートボタン１６５（図１）を押下することによって操作レバー７６の位置が確定するようになされている。
【００８１】
かかる検出信号が入力された原稿サイズ判別部９１１は、この検出信号に基づいて操作レバー７６の位置、すなわちこれから画像形成処理に供される原稿Ｐ１のサイズを判別し、この判別結果に基づく指令信号を制御信号出力部９１２へ向けて出力するようになっている。
【００８２】
前記制御信号出力部９１２は、原稿サイズ判別部９１１からの指令信号に基づき、画像形成装置１０内の各種の機器に対して制御信号を出力するものである。特に給紙制御に関し制御信号が出力される相手先の機器として、テーブル部４０上の原稿Ｐ１を自動給紙用コンタクトガラス１２１ｂへ向けて送り込むピックアップローラ用の原稿ピックアップモータ９５１および原稿搬送ローラを駆動する原稿搬送モータ９５２、原稿画像を読み取るために原稿面に光を照射する光源９５３、この光源９５３からの原稿面の反射光が入力されるＣＣＤ（ｃｈａｒｇｅ  ｃｏｕｐｌｅｄ  ｄｅｖｉｃｅ）９５４、感光体ドラム１３１を駆動回転させるドラム駆動モータ９５５、感光体ドラム１３１の駆動に同期して用紙Ｐを搬送する各所の用紙搬送系モータ９５６等を挙げることができる。
【００８３】
そしてこれらの機器は、制御信号出力部９１２からの制御信号に基づき所定の順番でテーブル部４０上に載置されている原稿Ｐ１のサイズに応じた駆動を行い、これによって適正な原稿Ｐ１の画像の適正な読み取りが行われるようになっている。
【００８４】
以上詳述したように、本発明に係る原稿自動供給装置２０は、テーブル部４０上に載置された原稿Ｐ１の原稿幅サイズに応じて当該原稿Ｐ１を原稿搬送方向と直交する原稿幅方向に寄せる幅寄せ機構７０が設けられてなるものであり、幅寄せ機構７０は、幅方向で原稿Ｐ１を挟持する一対のサイドフェンス６０と、一対のサイドフェンス６０を原稿幅方向に移動させるフェンス移動機構７１と、移動構造を操作する操作レバー７６とを備えて構成されている。
【００８５】
そして、操作レバー７６の操作を案内する案内部８０が操作者と対面したテーブル本体５０の側板５２に設けられ、この案内部８０は、操作レバー７６が貫通される操作方向に長尺の階段状長孔８１と、操作レバー７６の操作方向と直交する階段状長孔８１の対向縁部の一方側に設けられた、原稿Ｐ１のサイズに応じて操作レバー７６の位置を設定する段差８２とを備え、操作レバー７６は、操作方向と直交する階段状長孔８１の対向縁部に向けて弾性変形可能にしてある。
【００８６】
したがって、操作者は、対面した板壁の案内部８０に設けられている操作レバー７６をテーブル部４０上に載置された原稿Ｐ１のサイズに合わせて階段状長孔８１の延びる方向へ操作することにより、サイドフェンス６０がフェンス移動機構７１の動作によってその原稿Ｐ１を挟むように移動し、これによってテーブル部４０上の原稿Ｐ１を一対のサイドフェンス６０に挟持された状態にすることができる。
【００８７】
そして、階段状長孔８１には、原稿Ｐ１のサイズに応じて操作レバー７６の位置を設定する段差８２が設けられているとともに、操作レバー７６は、操作方向と直交する階段状長孔８１の対向縁部に向けて弾性変形可能であるため、操作レバー７６の操作に際し階段状長孔８１の最大幅の位置を始点として段差８２の方向に撓ませた状態で当該操作レバー７６を階段状長孔８１にそって移動させることにより操作レバー７６が段差８２の段に当たることになる。したがって、何段目の段がどの原稿サイズであるかを予め認識しておけば、操作レバー７６がその段に衝突することで所定の原稿サイズに対応したことを認識することができるとともに、サイドフェンス６０を対応した位置に正確に位置決めすることができる。
【００８８】
このように、操作レバー７６を弾性変形可能にするとともに、操作レバー７６が案内される階段状長孔８１に原稿サイズに対応した段差８２を設けておくことにより、一々サイドフェンス６０の位置を視認することなく当該サイドフェンス６０を原稿サイズに正確に合わせることができるため、操作者が例えば車椅子に乗った非健常者であっても、原稿Ｐ１を容易かつ正確にテーブル部４０に装填することが可能になり、画像形成装置１０をすべてのユーザーに対して使い易いものにすることができる。
【００８９】
また、操作レバー７６は、支持軸７１１回りに回動可能に軸支され、フェンス移動機構７１は、操作レバー７６の先端側に設けられた支持軸７１１を曲率中心とする扇状ギヤ７２と、この扇状ギヤ７２に噛合してピニオン軸７３３回りに回転するダブルピニオン７３と、このダブルピニオン７３に噛合してサイドフェンス６０を移動させる左右のラック７５，７４とを備えて構成されているため、操作レバー７６を支持軸７１１回りに回動操作することにより、操作レバー７６の先端に形成された扇状ギヤ７２が支持軸７１１回りに回動し、これによって扇状ギヤ７２と噛合しているダブルピニオン７３がピニオン軸７３３回りに回転する。そして、ダブルピニオン７３が回転すると、ダブルピニオン７３に噛合している左右のラック７５，７４が移動し、左右のラック７５，７４と一体のサイドフェンス６０が移動することになる。
【００９０】
このように、フェンス移動機構７１を、操作レバー７６の先端側に設けられた扇状ギヤ７２と、この扇状ギヤ７２に噛合してピニオン軸７３３回りに回転するダブルピニオン７３と、このダブルピニオン７３に噛合して少なくとも一方のサイドフェンス６０を移動させる左右のラック７５，７４とを備えて構成することにより、当該フェンス移動機構７１を簡単な構造であるにも拘わらずサイドフェンス６０を確実に移動させ得るものにすることができる。
【００９１】
また、案内部８０には、段差８２と対応した位置に原稿Ｐ１のサイズを表示する「Ａ４」、「Ｂ５」等の符号が設けられているため、どの段差８２がどの原稿サイズに対応しているかをこの符号を視認することにより認識することができ非常に便利である。
【００９２】
そして、このような原稿自動供給装置２０を画像形成装置１０に適用することにより、画像形成装置１０を、健常者はもちろんのこと、非健常者に対しても非常に使い易いものにすることができる。
【００９３】
本発明は上記の実施形態に限定されるものではなく、以下の内容をも包含するものである。
【００９４】
（１）上記の実施形態においては、画像形成装置１０としてモード切換えキー１６６の操作でその機能を複写機、プリンタおよびスキャナーのいずれかに切り換え得る、いわゆる複合機を例に挙げて説明したが、本発明は、画像形成装置１０が複合機であることに限定されるものではなく、複写機やプリンタ（ファクシミリ装置のプリンタを含む）等の機能のみを果たす、いわゆる単能機に適用してもよい。
【００９５】
（２）上記の実施形態においては、サイドフェンス６０は、操作レバー７６の操作で左右双方のものが同時に移動するように構成されているが、本発明は、左右のサイドフェンス６０の双方が移動するものであることに限定されるものではなく、いずれか一方のみが移動して原稿Ｐ１の幅寄せを行うものであってもよい。
【００９６】
（３）上記の実施形態においては、階段状長孔８１は、その下縁部に段差８２が形成されているが、本発明は、段差８２が階段状長孔８１の下縁部に形成されることに限定されるものではなく、階段状長孔８１の上縁部に形成してもよいし、さらに上下の縁部に形成してもよい。
【００９７】
（４）上記の実施形態においては、段差８２を有する階段状長孔８１を備えた案内部８０がテーブル部４０のテーブル本体５０の一方の側板５２に形成されているが、本発明は、案内部８０がテーブル部４０の側板５２に形成されることに限定されるものではなく、原稿自動供給装置２０の供給装置本体３０における操作者と対面した位置に設けてもよい。こうするためには、操作レバー７６と扇状ギヤ７２との間にギヤ機構や梃子機構等からなる離接可能の駆動力伝達手段を介在させればよい。
【００９８】
（５）上記の実施形態においては、幅寄せ機構７０を原稿自動供給装置２０に適用しているが、本発明は、幅寄せ機構７０を原稿自動供給装置２０に適用することに限定されるものではなく、転写用の用紙Ｐが収納される用紙トレイ１５１に適用してもよい。
【００９９】
（６）上記の実施形態においては、幅寄せ機構７０は、扇状ギヤ７２、ダブルピニオン７３および左右のラック７５，７４からなる、いわゆるギヤ機構によって構成されているが、こうする代わりにテーブル本体５０の基端部５１内に幅方向一対のプーリと、これらプーリ間に張設される無端ベルトとで幅寄せ機構を構成し、プーリの駆動による無端ベルトの周回でフェンス本体６１を移動させるようにしてもよい。
【図面の簡単な説明】
【０１００】
【図１】本発明に係る給紙装置が適用された画像形成装置の一実施形態を示す斜視図であり、パネルボードが横臥姿勢に姿勢設定された状態を示している。
【図２】本発明に係る給紙装置が適用された画像形成装置の一実施形態を示す斜視図であり、パネルボードが起上り姿勢に姿勢設定された状態をそれぞれ示している。
【図３】画像形成装置の内部構造の概要を説明するための正面断面視の説明図である。
【図４】原稿自動供給装置の一実施形態を示す外観視の斜視図であり、テーブル部が供給装置本体から分離された状態を示している。
【図５】原稿自動供給装置の一実施形態を示す外観視の斜視図であり、テーブル部が供給装置本体に装着された状態を示している。
【図６】テーブル部の一実施形態を示す一部切り欠き斜視図である。
【図７】テーブル部に設けられる幅寄せ機構の一実施形態を示す斜視図であり、（イ）は、フェンス本体間の間隔寸法が最大に設定された状態、（ロ）は、フェンス本体間の間隔寸法が所定寸法に設定された状態をそれぞれ示している。
【図８】テーブル部の底面図である。
【図９】案内部を説明するためのテーブル本体の側板を示す側面図である。
【図１０】操作レバーによって設定されたサイドフェンス間の距離に応じて実行される給紙制御を説明するためのブロック図である。
【符号の説明】
【０１０１】
１０  画像形成装置            １１  装置本体
１１１  排紙トレイ            １１２  排紙搬送路
１２  原稿読取部              １２１  コンタクトガラス
１２１ａ  載置原稿用コンタクトガラス
１２１ｂ  自動給紙用コンタクトガラス
１３  画像形成部              １３Ｙ  イエロー用ユニット
１３Ｍ  マゼンタ用ユニット    １３Ｃ  シアン用ユニット
１３Ｋ  ブラック用ユニット    １３１  感光体ドラム
１３２  現像装置              １３３  帯電部
１３４  露光部                １３５  クリーニング装置
１３６  搬送ベルト            １３７  駆動ローラ
１３８  従動ローラ            １４  定着部
１４１  ヒートローラ          １４２  加圧ローラ
１５  用紙貯留部              １５１  用紙トレイ
１５２  ピックアップローラ    １５３  給紙搬送路
１６  入力部                  １６１  枠体
１６２  パネルボード          １６３  表示パネル
１６４  テンキー              １６５  スタートボタン
１６６  モード切換えキー      １６６ａ  コピーキー
１６６ｂ  プリンタキー        １６６ｃ  スキャナキー
１６７  押圧ボタン            １７  用紙反転部
１７１  中間トレイ            １７２  切換ガイド
１７３  反転ローラ対          ２０  原稿自動供給装置（給紙装置）
３０  供給装置本体            ３１  基台
３２  カバー体                ３２１  前側膨出部
３２２  後縁膨出部            ３２３  扁平部
４０  テーブル部              ５０  テーブル本体
５１  基端部                  ５２  側板（所定の板壁）
５３  天板                    ５３１  前方ガイドレール
５３２  後方ガイドレール      ５３３  右側ガイド長孔
５３４  左側ガイド長孔        ５４  後板
５５  底板                    ５６  延設部
５６１  周壁                  ６０  サイドフェンス
６１  フェンス本体            ６１１  切欠き凹部
６２  被ガイド角材            ６２１  介設部材
６３  被ガイド板              ７０  幅寄せ機構
７１  フェンス移動機構        ７１１  支持軸（レバー軸）
７２  扇状ギヤ（円弧ギヤ）    ７３  ダブルピニオン（円形ギヤ）
７３１  小径ピニオン          ７３２  大径ピニオン
７３３  ピニオン軸（ギヤ軸）  ７４  右側ラック
７５  左側ラック              ７６  操作レバー
７６１  摘み                  ８０  案内部
８１  階段状長孔              ８２  段差
９０  制御装置                ９１  制御部
９１１  原稿サイズ判別部      ９１２  制御信号出力部
９２  ＲＯＭ                  ９３  ＲＡＭ
９４  操作レバー位置センサ    ９５１  原稿ピックアップモータ
９５２  原稿搬送モータ        ９５３  光源
９５４  ＣＣＤ                ９５５  駆動モータ
９５６  用紙搬送系モータ      Ｐ  用紙
Ｐ１  原稿
【図１】
2006069705.tif 000003
【図２】
2006069705.tif 000004
【図３】
2006069705.tif 000005
【図４】
2006069705.tif 000006
【図５】
2006069705.tif 000007
【図６】
2006069705.tif 000008
【図７】
2006069705.tif 000009
【図８】
2006069705.tif 000010
【図９】
2006069705.tif 000011
【図１０】
2006069705.tif 000012